(57)【要約】【課題】配管内とくに排水の受け手となる下階側折れ曲がり部周辺での排水音の発生を低減する配管構造を提供する。【解決手段】竪配管２が垂直に対し傾斜して取り付けられるとともに、エルボ管５（６）の内壁部に排水誘導ガイドが備えられているため、横引配管３（４）と、竪配管２と、横引配管３（４）と竪配管２とを接続するエルボ管５（６）からなる連続した配管であっても、配管内を流れる排水は、配管の内壁面を伝って流れ落ちるため、排水の自由落下による衝撃による固体伝播音や水しぶきによる空気伝播音の発生を低減若しくは削減することができ、排水用配管の排水音の発生を低減若しくは削減をすることができる。固体伝播音や空気伝播音の発生防止のため配管に施す防音対策を削減若しくは低減することができ、施工性の向上、コストの低減を図ることができる。【選択図】    図１
2010174603.tif 000002
【特許請求の範囲】
【請求項１】
建物内の横引配管と竪配管が連続する排水用配管の排水音を低減する配管構造であって、
横引配管と、竪配管と、横引配管と竪配管とを接続するエルボ管とからなり、
該竪配管は垂直方向に対し傾斜して取り付けられ、
該エルボ管はその内壁部に排水誘導ガイドが備えられ、
横引配管の内壁底面部、エルボ部内の排水誘導ガイド、竪配管の内壁傾斜面が連続していることを特徴とする排水音を低減する配管構造。
【請求項２】
エルボ管の排水誘導ガイドが、排水方向に沿って形成されるエルボ管内壁の溝である請求項１に記載の排水音を低減する配管構造。
【請求項３】
エルボ管の排水誘導ガイドが、排水方向に沿って設けられるエルボ管内壁の少なくとも２以上の突条部からなる請求項１に記載の排水音を低減する配管構造。
【請求項４】
エルボ管の排水誘導ガイドが、排水方向に沿ってエルボ管内壁に塗布される親水性塗料の塗布部である請求項１に記載の排水音を低減する配管構造。
【請求項５】
エルボ管がフレキシブルエルボ管からなる請求項１乃至４に記載の排水音を低減する配管構造。
【発明の詳細な説明】
【技術分野】
【０００１】
本発明は、排水音を低減する配管構造に関する。
【背景技術】
【０００２】
住宅などの２階や３階に便所、洗面所、台所などの水周り設備を設けた場合、排水を１階床下へ導く配管が設けられる。
【０００３】
図１０に示すように、階間及び床下には横引配管が、排水が留まることなく排水方向に流れる程度、例えば１％以上の傾斜をつけて略平行に設置され、複数階に連続するパイプスペース内に竪配管は垂直に設置される。また、階間の横引配管とパイプスペース内の竪配管とは９０゜に屈曲したエルボ管により接続され、パイプスペース内の竪配管と床下の横引配管とは９０゜に屈曲した曲率半径の大きな大曲エルボにより接続されている。
【先行技術文献】
【特許文献】
【０００４】
【特許文献１】特開２００３−２３２０５８号公報
【発明の概要】
【発明が解決しようとする課題】
【０００５】
排水時、階間の横引配管と床下の横引配管を排水が通過する時には、配管の内壁底面部を伝って流れるが、竪配管を通過する時は竪配管の内壁を伝わらず配管内を自由落下する。そのため、自由落下した排水が下階側折れ曲がり部周辺で管壁に衝突することによる管の振動により固体伝播音が発生する。また、排水の自由落下や管壁への衝突により発生した水しぶきによる空気伝播音が発生する。
【０００６】
固体伝播音対策として、配管の振動を防止するために配管廻りに取り付けた防音材上から配管を支持している。また、空気伝播音対策として、配管廻りに防音材を取り付けている。
【０００７】
特に、排水の受け手となる下階側の下階側折れ曲がり部周辺では音の発生が大きく、局所的な音発生源に対して広範囲にわたって防音材を設置しなければならず、施工性、コスト的にも非効率な対策方法となっている。
【０００８】
本発明は、以上のような問題点に鑑み、配管内とくに排水の受け手となる下階側折れ曲がり部周辺での排水音の発生を低減する配管構造を提供することを課題とする。
【課題を解決するための手段】
【０００９】
上記の課題は、建物内の横引配管と竪配管が連続する排水用配管の排水音を低減する配管構造であって、
横引配管と、竪配管と、横引配管と竪配管とを接続するエルボ管とからなり、
該竪配管は垂直方向に対し傾斜して取り付けられ、
該エルボ管はその内壁部に排水誘導ガイドが備えられ、
横引配管の内壁底面部、エルボ部内の排水誘導ガイド、竪配管の内壁傾斜面が連続していることを特徴とする排水音を低減する配管構造により解決される。
【００１０】
本配管構造では、竪配管が垂直に対し傾斜して取り付けられ、エルボ管の内壁部に排水誘導ガイドが備えられているため、横引配管と、竪配管と、横引配管と竪配管とを接続するエルボ管からなる連続した配管であっても、配管内を流れる排水は、配管の内壁面を伝って流れ落ちるため、排水の自由落下の衝撃による固体伝播音や、水しぶきによる空気伝播音の発生を低減若しくは削減することができ、排水用配管の排水音の発生を低減若しくは削減をすることができる。そして、固体伝播音や空気伝播音の発生防止のため配管に施す防音対策を削減若しくは低減することができ、施工性の向上、コストの低減を図ることができる。
【００１１】
また、この配管構造はエルボ管内部に排水誘導ガイドを設けたり、竪配管を傾斜をつけて設置するだけで実現できるので、防音対策のために特別なスペースや設備を設置する必要がなく、既存の建物に対しても躯体部分に特別な変更を施すことなく実施することができる。
【００１２】
上記の配管構造において、エルボ管の排水誘導ガイドが、排水方向に沿って形成されるエルボ管内壁の溝であるとよい。
【００１３】
エルボ管内壁に溝が形成されているので、エルボ管内を通過する排水はエルボ管内壁の溝を伝って流れるため、エルボ管内で排水の流れが整えられて、固体伝播音や空気伝播音の発生を低減若しくは削減することができる。
【００１４】
また、上記の配管構造において、エルボ管の排水誘導ガイドが、排水方向に沿って設けられるエルボ管内壁の少なくとも２以上の突条部であるとよい。
【００１５】
エルボ管内壁に排水方向に沿って設けられる少なくとも２以上の突条部があるので、エルボ管内を通過する排水はエルボ管内壁の突条部間を伝って流れるため、エルボ管内で排水の流れが整えられて、固体伝播音や空気伝播音の発生を低減若しくは削減することができる。
【００１６】
また、エルボ管の排水誘導ガイドが、排水方向に沿ってエルボ管内壁に塗布される親水性塗料の塗布部であるとよい。
【００１７】
排水方向に沿ってエルボ管の排水誘導経路に内壁に親水性の塗料が塗布されているので、エルボ管内を通過する排水はエルボ管内壁の親水性の塗料が塗布された塗布部を伝って流れるため、エルボ管内で排水の流れが整えられて、固体伝播音や空気伝播音の発生を低減若しくは削減することができる。
【００１８】
上記の配管構造において、エルボ管がフレキシブルエルボ管からなっているとよい。
【００１９】
エルボ管がフレキシブル配管からなっているため、フレキシブルエルボ管を任意の角度に曲げることができるので、竪配管の傾斜角度に関係なく、また横引配管と竪配管の位置関係に関係なく、横引配管と竪配管とを特別なアタッチメントを使用することなく接続することができる。また、フレキシブルエルボ管を管の断面周方向にねじることができるので、横引配管に対する竪配管の傾斜方向に関わらずフレキシブルエルボ管を断面周方向にねじることで横引配管と竪配管を排水が伝う排水面を連続させたままで接続することができる。
【００２０】
フレキシブル配管を用いることで、横引配管と竪配管との接続を横引配管と竪配管との位置関係にあわせた接続用のエルボ管を使用することなく、横引配管と竪配管の配管内を排水が自由落下することなく壁面を伝って流れる配管を形成することができる。
【発明の効果】
【００２１】
本発明は以上のとおりであるから、配管内とくに排水の受け手となる下階側折れ曲がり部周辺での排水音の発生を低減若しくは削減する配管構造を提供することができる。
【図面の簡単な説明】
【００２２】
【図１】第１実施形態の配管構造を示す側面図である。
【図２】階間横引配管と竪配管との間に設けられるエルボ管を示すもので、（イ）は側面図、（ロ）はＡ−Ａ線断面図、（ハ）はＢ−Ｂ線断面図、（ニ）は階間横引配管とエルボ管と竪配管を接続した状況を示す側面図である。
【図３】竪配管と床下横引配管との間に設けられる大曲エルボ管を示すもので、（イ）は側面図、（ロ）はＡ−Ａ線断面図、（ハ）はＢ−Ｂ線断面図、（ニ）は竪配管とエルボ管と床下横引配管を接続した状況を示す側面図である。
【図４】第２実施形態の配管構造を示す側面図である。
【図５】階間横引配管と竪配管との間に設けられるエルボ管を示すもので、図（イ）は側面図、図（ロ）はＡ−Ａ線断面図、図（ハ）はＢ−Ｂ線断面図、図（ニ）は階間横引配管とエルボ管と竪配管を接続した状況を示す側面図である。
【図６】竪配管と床下横引配管との間に設けられるエルボ管を示すもので、図（イ）は側面図、図（ロ）はＡ−Ａ線断面図、図（ハ）はＢ−Ｂ線断面図、図（ニ）は竪配管とエルボ管と床下横引配管を接続した状況を示す側面図である。
【図７】本発明の他の実施例で用いるエルボ管を示すもので、図（イ）は側面図、図（ロ）はＡ−Ａ線断面図、図（ハ）はＢ−Ｂ線断面図である。
【図８】本発明の他の実施例で用いるエルボ管を示すもので、図（イ）は側面図、図（ロ）はＡ−Ａ線断面図、図（ハ）はＢ−Ｂ線断面図である。
【図９】さらに、さらに、本発明の他の実施例で用いるエルボ管を示すもので、図（イ）は側面図、図（ロ）は図（イ）のＡ−Ａ線断面図、図（ハ）は図（イ）のＢ−Ｂ線断面図、図（ニ）はエルボ管を変形した状況を示す側面図、図（ホ）は図（ニ）のＡ−Ａ線断面図、図（へ）は図（ニ）のＢ−Ｂ線断面図、図（ト）は図（ニ）のＣ−Ｃ線断面図である。
【図１０】従来技術の階間横引配管と竪配管を示す側面図である。
【発明を実施するための形態】
【００２３】
次に、本発明の実施形態を図面に基づいて説明する。
【００２４】
図１に示す実施形態の排水音を低減する配管構造１において、２は竪配管、３は階間８に配設された階間横引配管、４は床下１０に配設された床下横引配管、５は階間横引配管３と竪配管２を接続するエルボ管、６は竪配管２と床下横引配管４を接続する大曲エルボ管、７・・・は竪配管２、階間横引配管３、床下横引配管４をそれぞれ躯体に固定する固定金物である。本実施形態では、本発明の配管構造が、2階部分と１階部分で２箇所連続して設けられている。
【００２５】
この配管構造１は２階に設けられた便所、洗面所、台所などの水周り設備などからの排水を流す１階と２階の階間８に配設された階間横引配管３から１階床下に配設された床下横引配管４へ竪配管２を介して流すものである。竪配管は１階部分９の壁面内などに設けられるパイプスペースに配設される。
【００２６】
階間横引配管３および床下横引配管４は、共に例えば径が１００ｍｍの塩化ビニル製の断面円筒形の設備配管からなり、水が留まることなく流れるように、流れ方向に向けて、例えば１％以上勾配をつけて固定金物７で躯体に固定される。躯体への固定は、梁材に固定した固定金物７に配管を吊り下げる吊り下げ式であってもよいし、床下の地盤面に固定した固定金物７で配管を受ける支承式であってもよい。
【００２７】
竪配管２も、階間横引配管３および床下横引配管４と同じく、例えば径が１００ｍｍの塩化ビニル製の断面円筒形の設備配管からなり、パイプスペースの側壁に固定金物７で垂直方向に対し傾斜して固定される。本実施例では、図１に示すように、階間８に配設される階間横引配管７と１階部分のパイプスペース内に配設される竪配管２と床下１０に配設される床下配管４がそれぞれの接合部をエルボ管で接続され、階間横引配管３と竪配管２、および竪配管２と床下横引配管４の交線がそれぞれ鈍角に交わる略Ｓ字型となっている。
【００２８】
図２に示す階間横引配管３と竪配管２とを接続するエルボ管５は、断面円筒形の本体部５ａと、本体部５ａの両端部に設けられそれぞれ階間横引配管３と竪配管２とに接続する接続部５ｂ、５ｃとからなる。エルボ管５の曲がり角度θ１は、階間横引配管３と竪配管２の交わる角度にあわせて設定されている。
【００２９】
本体部５ａの断面は円筒形のうち一部が排水誘導ガイドとしての溝５ｄを備え、溝５ｄがエルボ管５の管内排水方向全長に渡って設けられている。配管内壁の溝５ｄが設けられる位置はエルボ管５とこのエルボ管５の両端部に接続される階間横引配管３及び竪配管２との位置関係によって決定される。図２（ニ）の階間横引配管３とエルボ管５と竪配管２との接続部の側面図に示すように、階間横引配管３と竪配管２との交線が鈍角に交わる場合、階間横引配管３の内壁底面部と連続するエルボ管５の曲率中心側の管内内壁に沿って溝５ｄが設けられる。エルボ管５を通過した排水は傾斜している竪配管２の内壁傾斜面を伝って下方へ流れる。なお、図（ニ）中、１１は排水の流れを示す。
【００３０】
図３に示す竪配管２と床下横引配管４とを接続する大曲エルボ管６は、断面円筒形の本体部６ａと、本体部６ａの両端部に設けられそれぞれ竪配管２と床下横引配管４とに接続する接続部６ｂ、６ｃとからなる。大曲エルボ管６の曲がり角度θ２は竪配管２と床下横引配管４の交わる角度にあわせて設定されている。なお、大曲エルボ管とはエルボ管より曲率半径の大きいエルボ管をいう。
【００３１】
本体部６ａの断面は円筒形のうち一部が排水誘導ガイドとしての溝６ｄを備え、溝６ｄが大曲エルボ管６の管内排水方向全長に渡って設けられている。配管内壁の溝６ｄが設けられる位置は大曲エルボ管６とこのエルボ管６の両端部に接続される竪配管２及び床下横引配管４との位置関係によって決定される。図３（ニ）の竪配管２と大曲エルボ管６と床下横引配管４との接続部の側面図に示すように、竪配管２と床下横引配管４との交線が鈍角に交わる場合、竪配管２の内壁傾斜面と連続する大曲エルボ管６の曲率中心と反対側の管内内壁に沿って溝６ｄが設けられる。大曲エルボ管６を通過した排水は傾斜している床下横引配管４の内壁底面部を伝って下方へ流れる。なお、図（ニ）中、１１は排水の流れを示す。
【００３２】
エルボ管５、大曲エルボ管６の曲がり角度θ１、θ２は上述のようにそれぞれ階間横引配管３と竪配管２、竪配管２と床下横引配管４の交わる角度にあわせて設定されるが、階間横引配管３、竪配管２、床下横引配管４の傾き角度のばらつきに対応するため、接続部５ｂ、５ｃが例えば弾性材や、蛇腹状であるなど、調整できるようになされていてもよい。
【００３３】
この配管構造では、階間横引配管３の内壁底面部と、エルボ管５の排水誘導ガイドとしての溝５ｄと、竪配管２の内壁傾斜面と、大曲エルボ管６の排水誘導ガイドとしての溝６ｄと、床下横引配管４の内壁底面部とが連続しているため、配管を流れる排水は配管の内壁面を伝うようにして流れ、排水が配管内を自由落下することがない。そのため、竪配管の下側エルボ管内壁に自由落下した排水が衝突することなく、配管が振動により固定伝播音が発生を低減若しくは削減することができる。また、水しぶきによる空気伝播音の発生も低減若しくは削減することができる。
【００３４】
図４に示す実施形態の排水音を低減する配管構造２１において、２は竪配管、３は階間８に配設された階間横引配管、４は床下１０に配設された床下横引配管、２５は階間横引配管３と竪配管２を接続するエルボ管、２６は竪配管２と床下横引配管４を接続するエルボ管、７・・・は竪配管２、階間横引配管３、床下横引配管４をそれぞれ躯体に固定する固定金物である。本実施形態では、本発明の配管構造が、２階部分と１階部分で２箇所連続して設けられている。
【００３５】
この配管構造２１は２階に設けられた便所、洗面所、台所などの水周り設備などからの排水を流す１階と２階の階間８に配設された階間横引配管３から１階床下に配設された床下横引配管４へ竪配管２を介して流すものである。竪配管は１階部分９の壁面内などに設けられるパイプスペースに配設される。
【００３６】
階間横引配管３および床下横引配管４は、共に例えば径が１００ｍｍの塩化ビニル製の断面円筒形の設備配管からなり、水が留まることなく流れるように、流れ方向に向けて、例えば１％以上勾配をつけて固定金物７で躯体に固定される。躯体への固定は、梁材に固定した固定金物７に配管を吊り下げる吊り下げ式であってもよいし、床下の地盤面に固定した固定金物７で配管を受ける支承式であってもよい。
【００３７】
竪配管２も、階間横引配管３および床下横引配管４と同じく、例えば径が１００ｍｍの塩化ビニル製の断面円筒形の設備配管からなり、パイプスペースの側壁に固定金物７で垂直方向に対し傾斜して固定される。本実施例では、図４に示すように、階間８に配設される階間横引配管７と１階部分のパイプスペース内に配設される竪配管２と床下１０に配設される床下配管４がそれぞれの接合部をエルボ管で接続され、階間横引配管３と竪配管２、および竪配管２と床下横引配管４の交線がそれぞれ鋭角に交わる略Ｓ字型となっている。
【００３８】
図５に示す階間横引配管３と竪配管２とを接続するエルボ管２５は、断面円筒形の本体部２５ａと、本体部２５ａの両端部に設けられそれぞれ階間横引配管３と竪配管２とに接続する接続部２５ｂ、２５ｃとからなる。エルボ管２５の曲がり角度θ３は、階間横引配管３と竪配管２の交わる角度にあわせて設定されている。
【００３９】
本体部２５ａの断面は円筒形のうち一部が排水誘導ガイドとしての溝２５ｄを備え、溝２５ｄがエルボ管２５の管内排水方向全長に渡って設けられている。配管内壁の溝２５ｄが設けられる位置はエルボ管２５とこのエルボ管２５の両端部に接続される階間横引配管３及び竪配管２との位置関係によって決定される。図４（ニ）の階間横引配管３とエルボ管２５と竪配管２との接続部の側面図に示すように、階間横引配管３と竪配管２との交線が鋭角に交わる場合、エルボ管２５の進入口側では曲率中心側の管内内壁に溝２５ｄが設けられ、エルボ管２５の出口側では曲率中心と反対側の管内内壁に溝２５ｄが設けられ、エルボ管２５の管内長さ方向では、管内内壁面を時計廻りもしくは反時計回りに、進入口側から出口側に向かって半周分の螺旋状にねじれて溝部２５ｄが設けられている。エルボ管２５を通過した排水は傾斜している竪配管２の内壁傾斜面を伝って下方へ流れる。なお、図（ニ）中、１２は排水の流れを示す。
【００４０】
図６に示す竪配管２と床下横引配管４とを接続するエルボ管２６は、断面円筒形の本体部２６ａと、本体部２６ａの両端部に設けられそれぞれ竪配管２と床下横引配管４とに接続する接続部２６ｂ、２６ｃとからなる。エルボ管２６の曲がり角度θ４は竪配管２と床下横引配管４の交わる角度にあわせて設定されている。
【００４１】
本体部２６ａの断面は円筒形のうち一部が排水誘導ガイドとしての溝２６ｄを備え、溝２６ｄがエルボ管２６の管内排水方向全長に渡って設けられている。配管内壁の溝２６ｄが設けられる位置はエルボ管２６とこのエルボ管２６の両端部に接続される竪配管２及び床下横引配管４との位置関係によって決定される。図６（ニ）の竪配管２とエルボ管２６と床下横引配管４との接続部の側面図に示すように、竪配管２と床下横引配管４との交線が鋭角に交わる場合、エルボ管２６の進入口側では曲率中心側の管内内壁に溝２６ｄが設けられ、エルボ管２６の出口側では曲率中心と反対側の管内内壁に溝２６ｄが設けられ、エルボ管２６の管内長さ方向では、管内内壁面を時計廻りもしくは反時計回りに、進入口側から出口側に向かって半周分の螺旋状にねじれて溝部２６ｄが設けられている。エルボ管２６を通過した排水は傾斜している床下横引配管４の内壁底面部を伝って下方へ流れる。なお、図（ニ）中、１２は排水の流れを示す。
【００４２】
エルボ管２５，２６の曲がり角度θ３、θ４は上述のようにそれぞれ階間横引配管３と竪配管２及び竪配管２と床下横引配管４の交わる角度にあわせて設定されるが、階間横引配管３、竪配管２、床下横引配管４の傾き角度のばらつきに対応するため、接続部２５ｂ、２５ｃが例えば弾性材や、蛇腹状であるなど、調整できるようになされていてもよい。
【００４３】
この配管構造では、階間横引配管３の内壁底面部と、エルボ管２５の排水誘導ガイドとしての溝５ｄと、竪配管２の内壁傾斜面と、エルボ管２６の排水誘導ガイドとしての溝２６ｄと、床下横引配管４の内壁底面部とが連続しているため、配管を流れる排水は配管の内壁面を伝うようにして流れ、排水が配管内を自由落下することがない。そのため、竪配管の下側エルボ管内壁に自由落下した排水が衝突することなく、配管が振動により固定伝播音が発生を低減若しくは削減することができる。また、水しぶきによる空気伝播音の発生も低減若しくは削減することができる。
【００４４】
以上に、本発明の実施形態を示したが、本発明はこれに限られるものではなく、発明思想を逸脱しない範囲で各種の変更が可能である。例えば、上記の実施形態では、配管の接続形態が、階間横引配管と竪配管及び竪配管と床下横引配管の交線がそれぞれ鈍角に交わる略Ｓ字型、横引き配管と竪配管及び竪配管と床下横引配管の交線がそれぞれ鋭角に交わる略Ｓ字型の場合について示したが、横引配管と竪配管との接続はそれぞれの交線が鈍角にであってもよいし、鋭角であってもよく、階間横引配管と竪配管が鋭角で竪配管と床下横引配管が鈍角、階間横引配管と竪配管が鈍角で竪配管と床下横引配管が鋭角に連続している場合であってもよい。
【００４５】
また、上記の実施形態では、２階から１階床下への排水経路として２階の階間横引配管と１階部分の竪配管と１階床下の床下横引配管とで構成される排水経路について示したが、横引配管、竪配管の設置される箇所に限定はなく、また適用される建物の３階以上の建物で複数階にわたる排水経路に適用されてもよい。
【００４６】
さらに、上記実施形態では、エルボ管内の排水誘導ガイドとして溝を設けた場合について示したが、図７に示すように排水誘導ガイドとしてエルボ管内壁の少なくとも２以上の突条部からなっていてもよいし、図８に示すように排水誘導ガイドとして親水性の塗布部であってもよい。要は、エルボ内壁上を流れる排水を導くガイドが設けられていればよい。
【００４７】
また、上記実施形態では、エルボ管が定型である場合について示したが、図９に示すように、エルボ管がフレキシブルエルボ管からなっているとよい。エルボ管がフレキシブルエルボ管からなっていることで、エルボ管の排水進行方向を自在に屈曲、伸縮させることができ、横引配管と竪配管の位置関係に関わらず、フレキシブルエルボ管を調整することで横引配管と竪配管を接続することができ、横引配管と竪配管の位置関係によっていろいろな形状のエルボ管を用意する必要がない。さらに、フレキシブルエルボ管を排水進行方向に対して管壁をねじることができるため、横引配管と竪配管の接続関係にあわせて、フレキシブルエルボ管の内部の排水誘導ガイドが横引配管及び竪配管と連続するように調節することができる。
【符号の説明】
【００４８】
１，２１・・・配管構造
２・・・竪配管
３・・・階間横引配管
４・・・床下横引配管
５，６，２５，２６・・・エルボ管
７・・・固定金物
８・・・階間
９・・・１階部分
１０・・・床下
１１，１２・・・排水の流れ
【図１】
2010174603.tif 000003
【図２】
2010174603.tif 000004
【図３】
2010174603.tif 000005
【図４】
2010174603.tif 000006
【図５】
2010174603.tif 000007
【図６】
2010174603.tif 000008
【図７】
2010174603.tif 000009
【図８】
2010174603.tif 000010
【図９】
2010174603.tif 000011
【図１０】
2010174603.tif 000012